(57)【要約】【課題】布設されたケーブルが壁や床等の障害物に妨げられて目視することができないような場合でも、ケーブルの布設ルートを正確に探索できる布設ケーブルの探索方法を提供する。【解決手段】布設すべきケーブル１２の任意の位置に、それぞれ識別情報１９を記録した複数のＩＣタグ１４を適当間隔で装着する。外部から目視することができない状態で布設された当該ケーブル１２に対して外部から電波を発信し、ＩＣタグ１４からの応答信号を受信しながら、ケーブルの布設ルートを辿る。例えば、壁の内部や、床下等に布設され、外部から目視することができない状態のケーブルの布設場所に沿って、送信機を移動させながらＩＣタグの応答信号を受信すると、ケーブルの布設ルートを正確に検出できる。【選択図】図１
2005341738.tif 000002
【特許請求の範囲】
【請求項１】
布設すべきケーブルの任意の位置に、それぞれ識別情報を記録した複数のＩＣタグを適当間隔で装着し、外部から目視することができない状態で布設された前記ケーブルに対して外部から電波を発信し、前記ＩＣタグからの応答信号を受信しながら、前記ケーブルの布設ルートを辿ることを特徴とする布設ケーブルの探索方法。
【請求項２】
布設すべきケーブルを固定するための固定装置に、それぞれ識別情報を記録した複数のＩＣタグを適当間隔で装着し、外部から目視することができない状態で布設された前記ケーブルに対して外部から電波を発信し、前記ＩＣタグからの応答信号を受信しながら、前記ケーブルの布設ルートを辿ることを特徴とする布設ケーブルの探索方法。
【請求項３】
請求項２に記載の布設ケーブルの探索方法において、
前記布設されたケーブルが、所定の障害物に妨げられて目視することができない場合に、前記固定装置の最も前記障害物に近い部分にＩＣタグを取り付けることを特徴とする布設ケーブルの探索方法。
【請求項４】
請求項１に記載の布設ケーブルの探索方法において、
前記ケーブルに取り付けられた複数のＩＣタグの取り付け位置と、前記各ＩＣタグが記憶する識別情報の規則性もしくは所定の隣接タグ情報に従って、前記ケーブルの布設ルートを辿ることを特徴とする布設ケーブルの探索方法。
【請求項５】
請求項２又は３に記載の布設ケーブルの探索方法において、
前記固定装置に取り付けられた前記複数のＩＣタグの取り付け位置と、前記各ＩＣタグが記憶する識別情報の規則性もしくは所定の隣接タグ情報に従って、前記ケーブルの布設ルートを辿ることを特徴とする布設ケーブルの探索方法。
【発明の詳細な説明】
【技術分野】
【０００１】
本発明は、壁や床等の障害物の裏側等、目視することができない箇所に布設されたケーブルの布設ルートを探索する布設ケーブルの探索方法に関する。
【背景技術】
【０００２】
電気設備の点検、建物の改修工事等において、壁の中や床下に布設されたケーブルの所在を確認する必要が生じることがある。従来、この種の探索には、例えば、電気的な方法や音響信号を用いる方法等、様々な方法が開発されている（特許文献１参照）。
【特許文献１】特開平７−２４０７０４号公報
【発明の開示】
【発明が解決しようとする課題】
【０００３】
ところで、上記の技術には次のような解決すべき課題があった。
壁や床の内部で直線的にケーブルが布設されているときは、その両端を直線的に結んだ線上で布設位置を確認すればよい。
しかしながら、壁の各部にコンセントやスイッチがあるようなときは、ケーブルが曲がりくねって布設される。また、電源からコンセントへ向かう線と電灯とスイッチとを結ぶ線等が複雑に交差したり平行布設されていると、その布設ルートを正確に把握するのは容易でない。
【０００４】
本発明は、以上の点に着目してなされたもので、布設されたケーブルが壁や床等の障害物に妨げられて目視することができないような場合でも、ケーブルの布設ルートを正確に探索できる布設ケーブルの探索方法を提供することを目的とする。
【課題を解決するための手段】
【０００５】
本発明の各実施例においては、それぞれ次のような構成により上記の課題を解決する。
〈構成１〉
布設すべきケーブルの任意の位置に、それぞれ識別情報を記録した複数のＩＣタグを適当間隔で装着し、外部から目視することができない状態で布設された上記ケーブルに対して外部から電波を発信し、上記ＩＣタグからの応答信号を受信しながら、上記ケーブルの布設ルートを辿ることを特徴とする布設ケーブルの探索方法。
【０００６】
例えば、壁の内部や、床下等に布設されて外部から目視することができない、あるいは目視困難な状態のケーブルの布設場所に沿って、送信機を移動させながらＩＣタグの応答信号を受信すると、ケーブルの布設ルートを正確に検出できる。識別情報は、ＩＣタグ自体の識別情報以外に、ケーブルの品種、請番、製造年月、巻き取り始めからの条長等を含むとよい。ＩＣタグは、例えば、電線の表面に適当な間隔で貼り付ける。布設時に各ＩＣタグの配置と識別情報とを関連付けてデータとして保存しておくことによって、壁の中にケーブルがどのようにして布設されたかといったデータをいつでも参照できる。
【０００７】
〈構成２〉
【０００８】
電線を固定するための固定装置（クランプやスペーサ、支持台）などにＩＣタグを取り付けておいても、構成１と同様の効果がある。特に、固定装置へのＩＣタグの取り付けは、ケーブルへの取り付けよりも容易である。また、ＩＣタグの取り付け位置を最適化することにより、壁等を隔ててＩＣタグの応答を受信しやすくなる。しかも、ケーブルにＩＣタグを取り付けた場合にはケーブルの遮蔽層がＩＣタグの送信電波を減衰させるおそれがあるが、プラスチック製の固定装置にＩＣタグを取り付ければ、そうした弊害を避けることができる。
【０００９】
〈構成３〉
構成２に記載の布設ケーブルの探索方法において、上記布設されたケーブルが、所定の障害物に妨げられて目視することができない場合に、上記固定装置の最も上記障害物に近い部分にＩＣタグを取り付けることを特徴とする布設ケーブルの探索方法。
【００１０】
固定装置のＩＣタグ取り付け位置を工夫することで、ＩＣタグの応答信号を最も強く受信できる状態に、ＩＣタグを配置することができる。
【００１１】
〈構成４〉
構成１に記載の布設ケーブルの探索方法において、上記ケーブルに取り付けられた複数のＩＣタグの取り付け位置と、上記各ＩＣタグが記憶する識別情報の規則性もしくは所定の隣接タグ情報に従って、上記ケーブルの布設ルートを辿ることを特徴とする布設ケーブルの探索方法。
【００１２】
例えば、ケーブル長手方向に沿って、ＩＣタグの識別情報が昇順又は降順に付与されているとすると、壁の中に複雑に曲がりくねった経路で布設されたケーブルでも、そのルートが明確に判断できる。また、ある識別情報を記憶したＩＣタグの隣のＩＣタグの識別情報を推測できる隣接タグ情報があればそれでもよい。
【００１３】
〈構成５〉
構成２又は３に記載の布設ケーブルの探索方法において、上記固定装置に取り付けられた上記複数のＩＣタグの取り付け位置と、上記各ＩＣタグが記憶する識別情報の規則性もしくは所定の隣接タグ情報に従って、上記ケーブルの布設ルートを辿ることを特徴とする布設ケーブルの探索方法。
【００１４】
固定装置にＩＣタグを取り付ける場合でも、構成４と同様のことが可能である。
【発明を実施するための最良の形態】
【００１５】
以下、本発明の実施の形態を実施例ごとに詳細に説明する。
【実施例１】
【００１６】
図１は、実施例１の布設ケーブルの探索方法の説明図である。
図１（ａ）に示すように、ケーブル１２は、建物の壁の中や天井、あるいは地下などに布設あるいは埋設される。このケーブル１２の側面には、アンテナ１５を取り付けたＩＣタグ１４が適当な間隔で装着されている。なお、この例では、ケーブル１２は一対の芯線１３を備える配電用のケーブルとする。この他に通信用のケーブル、その他任意のケーブルについて本発明を採用することができる。
【００１７】
このケーブル１２が天井や床下など外部から目視することができない状態で布設された場合に、図１（ｂ）に示す探索装置３０が使用される。なお、ＩＣタグ１４には、アンテナ１５、送信機１７、受信器１８、及び識別情報１９が設けられている。アンテナ１５は、送信用と受信用の両方に使用される。受信器１８で問い合わせ信号２２を受信すると、送信機１７が動作し、識別情報１９を含む応答信号２１を送信する。
【００１８】
探索装置３０は、天井や壁や床などを介してケーブル１２に装着されたＩＣタグ１４に対し、問い合わせ信号２２を送信する機能を持つ。送信機３１は、この問い合わせ信号２２を送信する。受信機３２は、ケーブル１２のＩＣタグ１４から送信された応答信号２１を受信し、これを制御装置３５に送り込む。制御装置３５は、識別情報１９の内容をディスプレイ３７に表示する。ディスプレイ３７は、探索装置３０に取り付けられた液晶表示装置などからなる。
【００１９】
また、探索の結果は、様々な付属情報と共に、記憶装置３６に記憶される。すなわち、記憶装置３６には、全てのＩＣタグ１４から受信した応答信号２１や識別情報１９の内容が記憶される。この情報は、後で様々な解析に利用できる。
【００２０】
上記の実施例では、ケーブル１２を外部から目視することができない状態で布設した場合に、どのようなルートで布設されているか探索装置３０を利用して探索するものである。その具体的な探索方法は、後で図３を用いて説明する。次の図２の例では、ケーブル１２自体でなくケーブル１２を固定する固定装置にＩＣタグを取り付ける例を説明する。
【実施例２】
【００２１】
図２は、実施例２の布設ケーブルの探索方法の説明図である。
図２（ａ）に示す固定装置４０は、ケーブル１２を天井や床、あるいは壁の裏側に固定するための装置である。これは、金属製でもよいし、プラスチック製でもよい。ここでは、ビス４１を用いて壁や床などに締め付け固定する例を示す。この固定装置４０の裏側にＩＣタグ４４が固定されている。
【００２２】
図２（ｂ）に示すように、固定装置４０の壁に接する側にＩＣタグ４４が固定され、あるいは埋め込まれている。図２（ｃ）に示すように、壁５０のような障害物がある場合に、この障害物を介して探索装置３０を用いてＩＣタグ４４に問い合わせ信号２２を送信する。従って、電気的な遮蔽物がなるべく少ないことが好ましい。そこで、この図２（ｃ）に示すように、ＩＣタグ４４を、固定装置４０の最も壁５０に近い側に、壁５０に接するように配置している。
【００２３】
例えば、ケーブル１２に、図１（ａ）に示したようにしてＩＣタグ１４を取り付けた場合、必ずしもＩＣタグ１４は、壁５０に接する側に配置されるとは限らない。従って、ケーブル１２の裏側にＩＣタグ１４が配置されたような場合、問い合わせ信号２２が到達しにくいこともある。この例では、固定装置４０の壁５０に最も近い側にＩＣタグ４４を配置したので、そうした弊害が少ない。
【００２４】
また、固定装置４０にＩＣタグ４４を固定すると、次のような効果もある。図２（ｄ）に示すように、ケーブル１２が比較的複雑なルートで布設され、途中で分岐されているような場合、曲がり角あるいはその近辺には必ず固定装置４０が配置される。この図２（ｄ）の例では、固定装置４０をＤ１からＤ９という符号を付けて示した。探索装置３０を用いてケーブル１２の布設ルートを探索したとき、このようにケーブル１２の曲がり角で、固定装置４０に装着されたＩＣタグ４４の応答信号２１を受信すれば、確実にケーブル１２の布設ルートを正確に辿ることができる。
【００２５】
逆に、固定装置４０の存在を検出しなかった部分は、直線的に布設されているものと判断することができる。従って、無駄な検出操作も減少し、効率のよい布設ルート探索が可能になる。なお、この図２（ｄ）の例では、固定装置４０を鞍形のものとしたが、バンド形やその他、任意の形状のものについて同様の方法が採用できる。
【００２６】
図３は天井にケーブルを布設した場合の探索方法の説明図である。
図３（ａ）に示すように、天井５１の裏側にケーブル１２を布設した場合を説明する。図３（ａ）に示すように、ケーブル１２は、天井５１に固定されたローゼットＲ１からＲ７に対し、比較的複雑な経路で接続されている。このような経路で接続されているかどうかは、設計者が作成した配線図を見なければわからない。
【００２７】
こうした場合に、上記の探索装置３０を利用すれば、簡単にその布設ルートがわかる。しかしながら、直線的に布設されているのでなく、曲がりくねって布設されているような場合には、どこからどこまでを直線で結べばよいかを間違えると、布設ルートの誤認が生じる。そこで、この例のように、ケーブル１２に装着されたＩＣタグ１４に対し、一定の規則性を持った識別情報を記録しておく。
【００２８】
図３（ｂ）に示すＴ１からＴ１０とＫ１からＫ４とＵ１とは、いずれもケーブル１２に取り付けられたＩＣタグ１４の識別情報１９である。識別情報自体をＴ１、Ｔ２、…としてもよいし、一連の数字で表してもよい。こうした識別情報は、桁数の多い文字や数値を含めたもので構成される。ケーブルの製造番号や型番などを含む識別情報にするのがよい。そして、少なくともその一部の情報が一定の規則性を持っているとよい。
【００２９】
例えば、この図３（ａ）に示すように、その識別情報が布設される順番に昇順、又は降順に付与されている。従って、探索装置３０を使用して天井５１の裏側からケーブル１２を探索していくとき、ディスプレイ３７（図１）に映し出された識別情報１９を確認しながら、その一部の数値が順番に規則的に切り換わっていくのを確認しながら、ルート探索を行う。これにより、ローゼットＲ１、Ｒ２、Ｒ３、Ｒ４、Ｒ５の順に１本のケーブルが布設されている、ということが確認できる。
【００３０】
また、全く異なる識別情報を持つケーブルは、途中で分岐されているものであることがわかる。この例では、ローゼットＲ４、Ｒ６、Ｒ７を結ぶ部分については、別のケーブルが使用されている。さらに、この他にコンセントＰ１については全く別のケーブルが接続されている。これもその識別情報であるＵ１を読み取ることによって確認できる。このようにケーブル１２に装着されたＩＣタグ１４に記録された識別情報の規則性に基づいてケーブルの布設ルートを辿ることで、布設ルートを正確に把握することができる。
【００３１】
図４は、ケーブルへの識別情報記録方法を示す説明図である。
上記の例のようにケーブル１２に装着された多数のＩＣタグ１４に一定の規則性を持った識別情報を記録するためには、この図に示すような装置を使用するとよい。図４（ａ）は、ケーブルの製造装置の概略図である。この図に示すように、ケーブルはサプライドラム６１から引き出され押し出し機６２で被覆が施され、ＩＣタグ装着機６３でＩＣタグ６７が装着される。その後、ケーブル６５は、巻き取りドラム６４に巻き取られる。
【００３２】
なお、ＩＣタグ装着機６３は、ケーブル６５の被覆にＩＣタグ６７を貼り付けて固定すると同時に、識別番号書込み制御部６８から供給された一定の規則性を持つ識別番号をＩＣタグ６７の記憶装置に書き込む。こうして、ケーブル６５には一定の規則性を持った識別情報の記録されたＩＣタグ６７が適当な間隔で装着される。
【００３３】
なお、上記の例は、出荷時にケーブルに既に一定の識別情報が記録された例を示した。しかしながら、例えば、ケーブルを布設するために、ドラムから引き出すときにＩＣタグに識別情報を記録することもできる。こうすれば、ケーブルの布設現場ごとにその布設状況に応じた識別情報をその場で記録することができる。
【００３４】
図４（ｂ）に示すように、サプライドラム７０から引き出されたケーブル７１は、送り出し装置７２とガイドローラ７３にガイドされて、布設場所に送り込まれる。このとき、記録装置７４を配置し、識別番号書込み制御部７５から識別番号を供給して、ケーブル７１に装着されたＩＣタグ７６に識別番号を記録する。
【図面の簡単な説明】
【００３５】
【図１】実施例１の布設ケーブルの探索方法の説明図である。
【図２】実施例２の布設ケーブルの探索方法の説明図である。
【図３】天井にケーブルを布設した場合の探索方法の説明図である。
【図４】ケーブルへの識別情報記録方法を示す説明図である。
【符号の説明】
【００３６】
１２  ケーブル
１３  芯線
１４  ＩＣタグ
１５  アンテナ
１７  送信機
１８  受信機
１９  識別情報
２１  応答信号
２２  問い合わせ信号
３０  探索装置
３１  送信機
３２  受信機
３５  制御装置
３６  記憶装置
３７  ディスプレイ
【図１】
2005341738.tif 000003
【図２】
2005341738.tif 000004
【図３】
2005341738.tif 000005
【図４】
2005341738.tif 000006